(57)【要約】【課題】ファクシミリ複合機を設置時に、コストアップにならずに、また、無駄な操作を行わなくても省電力モードへ移行できるファクシミリ複合機を提供する。【解決手段】このファクシミリ複合機は、複数の異なる信号方式の選択信号を発生し、電話回線上のダイヤルトーンを検出することによって回線種別を設定することができ、装置を設置した電源投入時には、回線種別の自動設定を行わず、最初の発呼操作時に回線種別を自動設定するようにした。【選択図】図２
2006352446.tif 000002
【特許請求の範囲】
【請求項１】
複数の異なる信号方式の選択信号を発生し、電話回線上のダイヤルトーンを検出することによって回線種別を設定するファクシミリ複合機において、装置を設置した電源投入時には、回線種別の自動設定を行わず、最初の発呼操作時に回線種別を自動設定することを特徴とするファクシミリ複合機。
【請求項２】
コンピュータに、請求項１に記載のファクシミリ複合機の機能を実現させるためのプログラム。
【請求項３】
コンピュータが読み取り可能な記録媒体であって、請求項２に記載のプログラムを記録したことを特徴とする記録媒体。
【発明の詳細な説明】
【技術分野】
【０００１】
本発明は、ファクシミリ複合機、コンピュータにファクシミリ複合機の機能を実現するためのプログラムおよびそのプログラムを記録したコンピュータ読み取り可能な記録媒体に関する。
【背景技術】
【０００２】
従来、設置後に自動的に回線種別を設定するファクシミリや、回線ケーブルを接続したことを自動検出して回線種別を設定するファクシミリ装置がある。
【０００３】
例えば、特許文献１では、通信装置の設置時に、異なる種類の信号方式の選択信号を順次発生させて電話回線に送出するとともに、その都度交換機からダイヤルトーンが送出されているかどうかを判別し、ダイヤルトーンが送出されなくなったときの信号方式を、当該電話回線における選択信号の信号方式として設定する。これにより、通信装置の設置作業の手間を軽減することができる。
【特許文献１】特公平６−８３３００号公報
【発明の開示】
【発明が解決しようとする課題】
【０００４】
上記特許文献１の宛先を選択するための選択信号の信号方式を自動設定する装置を搭載した電話装置やファクシミリ装置の場合、必ず回線に接続して使用する装置である。
これに対し、パソコンと接続可能でパソコンからスキャンを行ったり、印刷を行ったりすることが可能でファクシミリ機能も有するファクシミリ複合機が近年普及してきた。このようなファクシミリ複合機では、パソコンからスキャンや印刷のみが使用され、回線には接続されないときがあるといった使用環境が出ている。
【０００５】
その場合、回線に接続されていないのに、回線種別の自動設定機能が定期的に動作するため、装置が省電力モードに入れないといった不都合が生じる。また、回線が接続されていないときには省電力モードに入れるようにし、回線が接続されたことによって回線種別自動設定を起動する仕様とするためには、回線が接続されたことを検出する専用回路を付けなければならない等でコストアップとなる。
また、ユーザが回線を接続せずに使用する場合には、回線種別を擬似的に設定するという無駄な操作を行っている。
【０００６】
本発明は、上述した実情を考慮してなされたものであって、ファクシミリ複合機を設置時に、コストアップにならずに、また、無駄な操作を行わなくても省電力モードへ移行できるファクシミリ複合機、コンピュータにファクシミリ複合機の機能を実現するためのプログラムおよびそのプログラムを記録したコンピュータ読み取り可能な記録媒体を提供することを目的とする。
【課題を解決するための手段】
【０００７】
上記課題を解決するために、本発明では、ファクシミリ複合機を設置し、電源投入時には、回線種別の自動設定は実施せず、最初にファクシミリ送信等の発呼操作をユーザが行った場合に、まず、回線種別自動設定を行い、続けてファクシミリ送信を開始するようにした。
このため、ユーザの使用状況に合わせ、回線が接続されているかどうか検出を行う回路も必要なく、回線が接続されていない場合でも省電力モードに入ることができる。
【０００８】
また、本発明は、コンピュータに上述した構成のファクシミリ複合機の機能を実現させるためのプログラムまたはそのプログラムを記録したコンピュータ読み取り可能な記録媒体によっても上記課題を解決することができる。
【発明の効果】
【０００９】
本発明によれば、装置の設置時に回線の自動設定を行わないようにし、ファクシミリ通信等の発呼操作をユーザが行った場合に、まず、回線種別自動設定を行い、続けてファクシミリ送信を開始するようにしたので、回線が接続されたことを監視するための回路を必要とせず、コストダウンの効果がある。
また、回線が接続されるまで繰り返し自動設定が起動されることがないため、装置が省電力モードに入れないといった不都合が生じない。
また、回線を接続せずに使用するユーザは、回線種別を擬似的に設定する等の無駄な操作を行わなくてもよい。
【発明を実施するための最良の形態】
【００１０】
以下、図面を参照して本発明のファクシミリ複合機の好適な実施形態を説明する。
図１は、本実施形態で使用する一般的なファクシミリ複合機のブロック図である。同図において、ファクシミリ複合機は、制御手段１と、着信信号の検出やダイヤル信号の送出も行う網制御手段２と、電話帳名等を表示するための表示手段３と、発信者電話番号及び電話帳リストを記憶する記憶手段４と、呼び出し音等を出力するスピーカ等からなる音出力手段５と、ファクシミリデータを送受信したり、ダイヤルトーンの検出を行うモデム６と、送話・受話に使用されるハンドセット７と、ダイヤルボタン群８と、ファクシミリの送信を開始または停止させるための操作ボタン群９と、ハンドセットの上下を検出するハンドセット上下検出手段１０と、パソコンと接続するＵＳＢ（Universal Serial Bus）１１と、パソコンからの画像読み取り、コピー時、ファクシミリの送信原稿の読み取りに使用する画像読取手段１２と、パソコンからの印刷やコピー時の印刷、受信したファクシミリの印字等に使用する印字手段１３とから構成されている。
【００１１】
図２のフローチャートを用いて、本実施形態の制御手段１の処理動作を説明する。
ユーザからの要求がファクシミリ送信でない場合には（ステップＳ１のＮＯ）、パソコンからの要求に従った動作を実行し、処理を終了する（ステップＳ２）。
例えば、要求が画像の読み取りであれば、画像読取手段１２を動作させて、読み取った画像データをパソコンへ転送する。また、要求が印字であれば、パソコンから転送された画像データを印字手段１３で印字する。また、要求が記憶手段４への書き込みであれば、パソコンから転送されるデータを記憶手段４の指定された位置へ書き込む。
【００１２】
一方、ユーザによりファクシミリ送信要求があった場合（ステップＳ１のＹＥＳ）、回線種別設定がされているかどうかを判断し、回線種別が設定されていれば（ステップＳ３のＹＥＳ）、回線捕捉、ダイヤル発信、ファクシミリ送信と通常のファクシミリ送信を行う（ステップＳ４，Ｓ５，Ｓ６）。
【００１３】
他方、回線種別が設定されていなければ（ステップＳ３のＮＯ）、回線を捕捉し（ステップＳ７）、トーン信号にて０を発信（ステップＳ８）、ダイヤルトーンが止まったことが検出されると（ステップＳ９のＮＯ）、回線種別をトーンに設定し（ステップＳ１４）、回線を切断して回線種別設定済みを記憶し（ステップＳ１５）、ファクシミリ送信動作を行うためにステップＳ４へ進む。
【００１４】
一方、ダイヤルトーンが止まらなければ（ステップＳ９のＹＥＳ）、２０ＰＰＳで０を発信し（ステップＳ１０）、ダイヤルトーンが止まったことが検出されると（ステップＳ１１のＮＯ）、回線種別を２０ＰＰＳに設定して（ステップＳ１３）、回線を切断して回線種別設定済みを記憶し（ステップＳ１５）、ファクシミリ送信動作を行うためにステップＳ４へ進む。
また、ダイヤルトーンが止まらなければ（ステップＳ１１のＹＥＳ）、回線種別を１０ＰＰＳに設定し（ステップＳ１２）、回線を切断し回線種別設定済みを記憶し（ステップＳ１５）、ファクシミリ送信動作を行うためにステップＳ４へ進む。
【００１５】
以上説明したように、装置の設置時に回線の自動設定を行わないようにし、ファクシミリ通信等の発呼操作をユーザが行った場合に、まず、回線種別自動設定を行い、続けてファクシミリ送信を開始するようにしたので、回線が接続されたことを監視するための回路を必要とせず、コストダウンの効果がある。
また、回線が接続されるまで繰り返し自動設定が起動されることがないため、装置が省電力モードに入れないといった不都合が生じない。
また、回線を接続せずに使用するユーザに対して、回線種別を擬似的に設定する等の無駄な操作は行わなくてもよい。
【００１６】
本発明は、上述した実施形態のファクシミリ複合機の制御手段の機能をプログラム化し、予め記憶装置に書き込んでおき、このプログラムをマイクロプロセッサで実行することによって、本発明の目的が達成されることは言うまでもない。
この場合、記憶装置から読み出されて実行された状態が上述した制御手段の機能を実現することになり、そのプログラムおよびそのプログラムを記録した記録装置も本発明を構成することになる。
【００１７】
なお、このような機能を実現するプログラムは、半導体媒体（例えば、ＲＯＭ、不揮発性メモリ等）、光媒体（例えば、ＤＶＤ、ＭＯ、ＭＤ、ＣＤ等）、磁気媒体（例えば、磁気テープ、フレキシブルディスク等）等のいずれの形態の記録媒体で提供されてもよい。
あるいは、ネットワーク等の通信網を介して記憶装置に格納されたプログラムをサーバコンピュータから直接供給を受けるようにしてもよい。この場合、このサーバコンピュータの記憶装置も本発明の記録媒体に含まれる。
【００１８】
プログラムを上記のような記録媒体へ記録した場合、この記録媒体を媒体駆動装置に装着して、記録されたプログラムを記憶装置にインストールし、このインストールされたプログラムをマイクロプロセッサが実行する。このように、記録媒体から読み出されたプログラム自体が上述した実施形態の機能を実現することになり、そのプログラムおよびそのプログラムを記憶した記録媒体も本発明を構成することになる。
【００１９】
また、プログラムを実行することにより上述した実施形態の機能が実現されるだけでなく、そのプログラムの指示に基づき、オペレーティングシステムあるいは他のアプリケーションプログラム等と共同して処理することによって上述した実施形態の機能が実現される場合も含まれる。
【００２０】
尚、本発明は上述した実施形態に限定されず、本発明の要旨を逸脱しない範囲内で各種の変形、修正が可能であるのは勿論である。
【図面の簡単な説明】
【００２１】
【図１】実施形態で使用する一般的なファクシミリ複合機のブロック図である。
【図２】実施形態の制御手段の処理動作を説明するフローチャートである。
【符号の説明】
【００２２】
１…制御手段、２…網制御手段、３…表示手段、４…記憶手段、５…音出力手段、６…モデム、７…ハンドセット、８…ダイヤルボタン群、９…操作ボタン群、１０…ハンドセット上下検出手段、１１…ＵＳＢ、１２…画像読取手段、１３…印字手段。
【図１】
2006352446.tif 000003
【図２】
2006352446.tif 000004